(57)【要約】【課題】  基材内面側に剥離可能なフィルムが積層された剥離フィルム付き容器において、充填部と蓋部との接合部の開封を容易に行うことができる食品容器の提供。【解決手段】  食品又は食品原料を充填する充填部と、この充填部にヒンジ部を介して連設された蓋部とからなる容器基材と、該容器基材の前記充填部の内面側とそれに連なる前記蓋部の面側とに剥離可能に積層された剥離フィルム層とを備えた食品容器において、前記充填部の開口周縁に設けられたフランジ部９の前記ヒンジ部に対向する側の一部に形成される接合部を含む領域を、他部から切り離し可能な開封用切取りライン１０が設けられたことを特徴とする食品容器１。【選択図】  図２
2005153981.tif 000002
【特許請求の範囲】
【請求項１】
食品又は食品原料を充填する充填部と、この充填部にヒンジ部を介して連設された蓋部とからなる容器基材と、該容器基材の前記充填部の内面側とそれに連なる前記蓋部の面側とに剥離可能に積層された剥離フィルム層とを備えた食品容器において、
前記充填部の開口周縁に設けられたフランジ部の前記ヒンジ部に対向する側の一部に形成される接合部を含む領域を、他部から切り離し可能な開封用切取りラインが設けられたことを特徴とする食品容器。
【請求項２】
前記フランジ部の前記開封用切取りライン以外の部位に、前記容器基材の一部を切り離して剥離フィルム層を容器基材から引き剥がす際の起点となるフィルム剥離用切取りラインが設けられた請求項１に記載の食品容器。
【請求項３】
前記容器基材が熱可塑性樹脂発泡体からなる請求項１又は２に記載の食品容器。
【請求項４】
前記剥離フィルム層が熱可塑性樹脂、生分解性樹脂からなる群から選択される１種又は２種以上の樹脂からなる請求項１〜３のいずれかに記載の食品容器。
【請求項５】
前記剥離フィルム層が接着剤層を介して剥離可能に容器基材に積層された請求項１〜４のいずれかに記載の食品容器。
【請求項６】
食品又は食品原料を充填する充填部と、この充填部にヒンジ部を介して連設された蓋部とからなる容器基材と、該容器基材の前記充填部の内面側とそれに連なる前記蓋部の面側とに剥離可能に積層された剥離フィルム層とを備えた食品容器において、
前記蓋部の前記ヒンジ部に対向する側の一部に形成される接合部を含む領域を、他部から切り離し可能な開封用切取りラインが設けられたことを特徴とする食品容器。
【請求項７】
請求項１〜６のいずれかに記載の食品容器の前記充填部に食品又は食品原料が充填され、前記接合部で前記フランジ部と前記蓋部とが接合されて前記充填部の開口が前記蓋部によって閉じられてなることを特徴とする包装食品。
【発明の詳細な説明】
【技術分野】
【０００１】
本発明は、納豆、惣菜類、調理済み食品などを収容する蓋付きの食品容器に関し、さらに詳細には基材内面側に剥離可能なフィルムが積層された食品容器において、充填部と蓋部との接合部の開封が容易な食品容器とこれに食品を入れ包装してなる包装食品に関する。
【背景技術】
【０００２】
従来より、熱可塑性樹脂発泡シートを成形してなり、納豆などの食品を収容する充填部と、該充填部にヒンジ部を介して接続され、充填部側に倒すことで充填部の開口を塞ぐ蓋部とからなる納豆容器などの食品容器が提供されている（例えば、特許文献１〜４参照。）。
【０００３】
特許文献１に開示された食品容器は、ポリスチレン系樹脂よりなる基材層の表面に、オレフィン系フィルムまたはポリエステル系フィルムをホットメルトタイプのオレフィン系接着剤層を介して積層して剥離可能な表面被膜層とし、この表面被膜層を内側にして成形してなるものである。
特許文献２に開示された納豆容器は、充填部と蓋部をつなぐヒンジ部を、薄肉切断部とミシン目とで構成し、このミシン目に沿って蓋部を切り離すことができるようになっている。
特許文献３に開示された納豆容器は、蓋部を閉じた封緘状態において、容器表面のヒンジ部近傍に、ヒンジ部と平行に破断し易い切り込みを入れたものである。
特許文献４に開示された納豆容器は、第一の切離し部を蓋部又はフランジ部の一辺にわたって設け、更に、第二の切離し部を前記第一の切離し部の対辺に沿って蓋部又はフランジ部に設け、前記第一及び第二の切離し部を切り離し、前記蓋部を充填部から離脱可能としたものである。
【特許文献１】実開平６−３７１３８号公報
【特許文献２】特開平１０−３０５８８６号公報
【特許文献３】特開２００２−１２２８３号公報
【特許文献４】特開２００２−５９９９０号公報
【発明の開示】
【発明が解決しようとする課題】
【０００４】
納豆容器においては、使用後の容器の回収を容易にし、回収時に容器を洗浄する必要をなくすために、前述した特許文献１に記載されたように、納豆と接する容器の内側（充填部及び蓋部の内側）にフィルムを剥離可能に積層した構造のもの（以下、剥離フィルム付き容器と記す。）が注目されている。この剥離フィルム付き容器を用いることで、納豆を取り出した後、納豆に接していた剥離フィルムを容器基材から剥がし取って廃棄し、納豆が付着していない容器基材は洗浄することなく、そのまま回収することが可能になる。
【０００５】
しかしながら、この剥離フィルム付き容器にあっては、納豆を充填し、蓋部と充填部とを接合部にて接合した部分を引き離して開封する際に、剥離フィルムが容器基材から剥がれ易く、納豆を充填部から取り出す際に邪魔になるという課題が残されていた。
【０００６】
納豆容器用の剥離フィルム付き容器は、充填部に納豆を充填した後、蓋部を折り曲げて充填部のフランジ部と重ね合わせ、ヒンジ部と対向する側（通常は対向する側の中央部）に蓋部とフランジ部とを接合した接合部を形成することによって、容器を封じている。蓋部とフランジ部とを接合する方法としては、これらを重ね合わせる直前に、接合部を形成する蓋部とフランジ部との部分を局部加熱して溶融させ、その後両者を重ね合わせることで接合する方法などが用いられている。この接合部では、商品輸送中等で容器が不用意に開かない程度の接合強度を得るために、蓋部とフランジ部との両方の剥離フィルムが挟まれた状態で蓋部とフランジ部の基材の一部が溶着されている。その結果、この容器を開封する際、溶着された剥離フィルム同士が剥がれずに、剥離フィルムが容器基材から剥がれ易くなってしまう。
【０００７】
本発明は前記事情に鑑みてなされ、基材内面側に剥離可能なフィルムが積層された剥離フィルム付き容器において、充填部と蓋部との接合部の開封を容易に行うことができる食品容器の提供を目的とする。
【課題を解決するための手段】
【０００８】
前記目的を達成するため、本発明は、食品又は食品原料を充填する充填部と、この充填部にヒンジ部を介して連設された蓋部とからなる容器基材と、該容器基材の前記充填部の内面側とそれに連なる前記蓋部の面側とに剥離可能に積層された剥離フィルム層とを備えた食品容器において、前記充填部の開口周縁に設けられたフランジ部の前記ヒンジ部に対向する側の一部に形成される接合部を含む領域を、他部から切り離し可能な開封用切取りラインが設けられたことを特徴とする食品容器を提供する。
本発明の食品容器において、前記フランジ部の前記開封用切取りライン以外の部位に、前記容器基材の一部を切り離して剥離フィルム層を容器基材から引き剥がす際の起点となるフィルム剥離用切取りラインが設けられた構成とすることが好ましい。
本発明の食品容器において、前記容器基材が熱可塑性樹脂発泡体からなることが好ましい。
本発明の食品容器において、前記剥離フィルム層はポリオレフィン系樹脂、生分解性樹脂からなる群から選択される１種又は２種以上からなるものが好ましい。
本発明の食品容器において、前記剥離フィルム層が接着剤層を介して剥離可能に容器基材に積層された構成としてもよい。
【０００９】
また本発明は、食品又は食品原料を充填する充填部と、この充填部にヒンジ部を介して連設された蓋部とからなる容器基材と、該容器基材の前記充填部の内面側とそれに連なる前記蓋部の面側とに剥離可能に積層された剥離フィルム層とを備えた食品容器において、前記蓋部の前記ヒンジ部に対向する側の一部に形成される接合部を含む領域を、他部から切り離し可能な開封用切取りラインが設けられたことを特徴とする食品容器を提供する。
【００１０】
また本発明は、前記本発明に係る食品容器の前記充填部に食品又は食品原料が充填され、前記接合部で前記フランジ部と前記蓋部とが接合されて前記充填部の開口が前記蓋部によって閉じられてなることを特徴とする包装食品を提供する。
【発明の効果】
【００１１】
本発明の食材容器は、充填部の開口周縁に設けられたフランジ部のヒンジ部に対向する側の一部に形成される接合部を含む領域を、他部から切り離し可能な開封用切取りラインを設けたものなので、接合部にてフランジ部と蓋部とを接合して封じられた包装状態のものを開封する際、開封用切取りラインを切り取り蓋部を開くことによって、剥離フィルム同士が接合された接合部を含む切取り部を蓋部側に残した状態で簡単に開けることができ、剥離フィルム層が開封時に剥離することがなくなり、剥がれたフィルムが食品取り出しの邪魔になる不具合を防ぐことができる。
また、フランジ部の前記開封用切取りライン以外の部位に、前記容器基材の一部を切り離して剥離フィルム層を容器基材から引き剥がす際の起点となるフィルム剥離用切取りラインを設けたことにより、開封して食品を取り出した後、このフィルム剥離用切取りラインを切り取り、これを起点として剥離フィルム層を容器基材から簡単に引き剥がすことができ、食品と接触していない容器基材を洗浄せずに回収することができ、利便性に優れている。
また容器基材を熱可塑性樹脂発泡体で作製したことにより、軽量、安価であり、しかも耐衝撃性などの機械特性に優れた食品容器を提供できる。
また剥離フィルム層をポリオレフィン系樹脂、生分解性樹脂からなる群から選択される１種又は２種以上の樹脂としたことで、ポリオレフィン系樹脂製の剥離フィルム層を用いた場合には、極く薄いフィルムを簡単に積層できるので、コスト上昇が抑えられる。また生分解性樹脂製の剥離フィルム層を用いることで、この剥離フィルム層を基材から剥がして廃棄しても残留せずに分解するので、廃棄物処理の点から好ましい。
また剥離フィルム層を接着剤層を介して剥離可能に容器基材に積層したことによって、容器基材表面に対して剥離可能に接着させることが困難なフィルムでも剥離可能に接合させることができるので、容器基材と剥離フィルムの各材質の選択の自由度を広げることができる。
また、蓋部に開封用切取りラインを設けることもでき、これによって前記と同様の効果を得ることができる。
また本発明の包装食品は、前記本発明に係る食品容器を用いたことにより、剥離フィルム同士が接合された接合部を含む切取り部を蓋部側に残した状態で簡単に開けることができ、剥離フィルム層が開封時に剥離することがなくなり、剥がれたフィルムが食品取り出しの邪魔になる不具合を防ぐことができる。
【発明を実施するための最良の形態】
【００１２】
以下、図面を参照して本発明の実施形態を説明する。
図１〜３は本発明の食品容器の一例を示す図であって、図１は食品容器の斜視図、図２は食品容器の底面図、図３は食品容器の断面図である。これらの図中、符号１は食品容器、２は充填部、３は蓋部、４は容器基材、５は剥離フィルム層、６はヒンジ部、７は底部、８は側壁部、９はフランジ部、１０は開封用切取りライン、１１はフィルム剥離用切取りライン、１２は切取り部である。
【００１３】
この食品容器１は、食品又は食品原料を充填する充填部２と、この充填部２にヒンジ部６を介して連設された蓋部３とからなる容器基材４と、容器基材４の充填部２の内面側とそれに連なる蓋部３の面側とに剥離可能に積層された剥離フィルム層５とを備え、充填部２の開口周縁に設けられたフランジ部９のヒンジ部６に対向する側の一部に形成される接合部を含む領域を、他部から切り離し可能な開封用切取りライン１０が設けられた構成になっている。
【００１４】
前記容器基材４としては、熱可塑性樹脂発泡体、熱可塑性樹脂非発泡体、紙製容器、熱可塑性樹脂シートと紙との積層シートからなる複合体などが挙げられ、その中でも熱可塑性樹脂発泡体が好ましい。熱可塑性樹脂としては、ポリスチレン系樹脂、ポリエチレン系樹脂、ポリプロピレン系樹脂、ポリエチレンテレフタレート系樹脂などの各種の熱可塑性樹脂を使用でき、特にポリスチレン系樹脂が好ましい。ポリスチレン系樹脂としてはスチレン、メチルスチレン、エチルスチレン、イソプロピルスチレン、ジメチルスチレン、パラメチルスチレン、クロロスチレン、ブロモスチレン、ビニルトルエン、ビニルキシレンの単独重合体又は共重合体、例えば樹脂としてはスチレン−無水マレイン酸共重合体、スチレン・アクリル酸共重合体、ハイインパクトポリスチレン、スチレン・アクリロニトリル樹脂、アクリロニトリル・ブタジエン−スチレン樹脂等が使用できる。特にポリスチレン樹脂が好ましい。
【００１５】
前記容器基材４として熱可塑性樹脂発泡体を用いる場合、発泡体の発泡倍率は１．５〜２０倍程度が好ましい。この熱可塑性樹脂発泡体を形成するに当たっては、樹脂中には通常使用されている配合剤、例えば気泡調整剤、顔料等を添加しても良い。容器基材４として熱可塑性樹脂発泡体を用いることによって、軽量、安価であり、しかも耐衝撃性などの機械特性に優れた食品容器１を提供できる。
【００１６】
本例示において、容器基材４の充填部２は、平面視四角形の角形トレー形状をなしており、また蓋部３は平面視ほぼ同形状の板状をなしている。食品容器１の形状は本例示に限定されることなく、平面視円形、楕円形、長円形、多角形、植物や動物又はそれらの一部をかたどった形状など様々な形状とすることができる。充填部２は、略四角形状をなす底部７と、該底部７の縁から上方に向けて立設された側壁部８とからなり、側壁部８の先端部が水平に向かって延出してフランジ部９が形成されている。充填部２と蓋部３とをつなぐヒンジ部６は、充填部２と蓋部３との境界に沿って、容器基材４を折れ曲がりやすく加工することによって形成されている。このヒンジ部６には、充填部２から蓋部３を切り離すための切離しラインを形成してもよい。この切離しラインはミシン目などにより形成される。
【００１７】
前記充填部２と蓋部３とからなる容器基材４には、充填部２の内面側とそれに連なる蓋部３の面側とに剥離フィルム層５が剥離可能に積層されている。この剥離フィルム層５は、容器基材４の表面に、適度な接着強度をもつ接着剤層を介して剥離可能に積層することが望ましい。このように剥離フィルム層５を接着剤層を介して剥離可能に容器基材４に積層したことによって、容器基材４表面に対して剥離可能に接着させることが困難なフィルムでも剥離可能に接合させることができるので、容器基材４と剥離フィルム５の各材質の選択の自由度を広げることができる。
【００１８】
前記容器基材４の表面に積層される剥離フィルム層５としては、ポリスチレン系合成樹脂、ハイインパクトポリスチレン樹脂、それらの混合物、線状低密度ポリエチレン、高密度ポリエチレン、低密度ポリエチレン、プロピレンホモポリマー、エチレン・プロピレンランダムポリマー、エチレン・プロピレンブロックポリマー、エチレン・プロピレン−ブテン−ターポリマー、エチレン−酢酸ビニル共重合体、エチレン−不飽和カルボン酸エステル共重合体（例えば、エチレン−メチルメタクリレート共重合体）、エチレン−不飽和カルボン酸金属塩共重合体（例えば、エチレン−アクリル酸マグネシウム（又は亜鉛）共重合体）、プロピレン−塩化ビニルコポリマー、プロピレン−ブテンコポリマー、プロピレン−無水マレイン酸コポリマー、プロピレン−オレフィン共重合体（プロピレン−エチレン共重合体、プロピレン−ブテン−１共重合体）ポリエチレン又はポリプロピレンの不飽和カルボン酸（例えば、無水マレイン酸）変性物、エチレン−プロピレンゴム、アタクチックポリプロピレン、ポリエチレンテレフタレート、ポリブチレンテレフタレート等の熱可塑性樹脂フィルムが挙げられ、これらの中でも線状低密度ポリエチレン、高密度ポリエチレン、低密度ポリエチレンなどのポリオレフィン系樹脂が好ましい。
剥離フィルム層５の厚みはこれに限定されないが、１０〜１００μｍであるのが好ましい。ポリオレフィン系樹脂製の剥離フィルム層５を用いた場合には、極く薄いフィルムを簡単に積層できるので、コスト上昇が抑えられる。
【００１９】
その他の剥離フィルム層５としては、生分解性樹脂フィルムが挙げられる。生分解性樹脂フィルムとしては、従来公知の種々の、生分解性を有する樹脂で形成されたフィルムがいずれも使用可能である。かかる生分解性を有する樹脂としては、例えば３−ヒドロキシ酪酸と３−ヒドロキシ吉草酸との直鎖状ポリエステル（ＩＣＩ社製の商品名バイオポールなど）、ポリエーテル、ポリアクリル酸、エチレン・一酸化炭素共重合体、脂肪族ポリエステル・ポリアミド共重合体、脂肪族ポリエステル・ポリオレフィン共重合体、脂肪族ポリエステル・芳香族ポリエステル共重合体（ＢＡＳＦ社製の商品名エコフレックスなど）、脂肪族ポリエステル・ポリエーテル共重合体、澱粉と変性ポリビニルアルコールとのポリマーアロイ（ノバモント社製の商品名マタービーなど）、澱粉とポリエチレンのポリマーアロイ（アンパセット社製の商品名ポリグレードIIなど）、コハク酸エステル（昭和高分子株式会社製の商品名ビオノーレなど）、ポリ乳酸（フィルム状のものが、株式会社島津製作所製の商品名ラクテイシリーズとして提供されている）等が挙げられる。生分解性樹脂製の剥離フィルム層５を用いることで、この剥離フィルム層を基材から剥がして廃棄しても残留せずに分解するので、廃棄物処理の点から好ましい。
【００２０】
この食品容器１のフランジ部９には、ヒンジ部６に対向する側の一部に形成される接合部を含む領域を、他部から切り離し可能な開封用切取りライン１０が設けられている。
この食品容器１では、図２に示すように、フランジ部９に開封用切取りライン１０を設けたことによって、ヒンジ部６に対向する側の一部（通常は対向する側の中央部）に形成される接合部にてフランジ部９と蓋部３とを接合して封じられた包装状態の食品容器１を開封する際、開封用切取りライン１０を切り取り、蓋部３を開くことによって、剥離フィルム層５同士が接合された接合部を含む切取り部１２を蓋部３側に残した状態（図１参照。）で簡単に開けることができる。
これによって剥離フィルム層５が開封時に剥離することがなくなり、剥がれたフィルムが食品取り出しの邪魔になる不具合を防ぐことができる。
【００２１】
この食品容器１に納豆等の食品又は食品原料を詰めて包装する場合、充填部２に納豆等を充填した後、蓋部３を折り曲げて充填部２のフランジ部９と重ね合わせる直前に、ヒンジ部６と対向する側の一部を局部加熱して溶融させ、その後両者を重ね合わせることで接合する。このように形成された接合部では、フランジ部９側と蓋部３側のそれぞれの剥離フィルム層５が接合されているとともに、その部分のフランジ部９と蓋部３の容器基材４の一部が溶融接合されている。これによって接合部は、商品輸送中等で容器が不用意に開かない程度の接合強度でフランジ部９側と蓋部３とをつなぎ止めている。この食品容器１にあっては、容器の開封後、この接合部を含む切取り部１２が蓋部３側に邪魔にならないように残る。
【００２２】
またフランジ部９の開封用切取りライン１０以外の部位、例えば開封用切取りライン１０に隣接したフランジ部９の角部には、容器基材４の一部を切り離して剥離フィルム層５を容器基材４から引き剥がす際の起点となるフィルム剥離用切取りライン１１が設けられている。このフィルム剥離用切取りライン１１は、フランジ部９の所定位置にミシン目をつけることにより形成される。このフィルム剥離用切取りライン１１を設けたことにより、開封して食品を取り出した後、このフィルム剥離用切取りライン１１を切り取り、これを起点として剥離フィルム層５を容器基材４から簡単に引き剥がすことができ、食品と接触していない容器基材４を洗浄せずに回収することができ、利便性に優れている。
【００２３】
この食品容器１は、必要に応じて外面や内面に適当な印刷を施すことができる。食品容器１の内面に印刷を施す場合、印刷を施した剥離フィルム層５を容器基材４に積層することによって簡単に実施可能である。この印刷内容としては、剥離フィルムの剥離方法、リサイクルの表示、フィルム剥離用切取りライン１１の使用方法、広告宣伝などが挙げられる。
【００２４】
この食材容器１は、充填部２の開口周縁に設けられたフランジ部９のヒンジ部６に対向する側の一部に形成される接合部を含む領域を、他部から切り離し可能な開封用切取りライン１０を設けたものなので、接合部にてフランジ部９と蓋部３とを接合して封じられた包装状態のものを開封する際、開封用切取りライン１０を切り取り、蓋部３を開くことによって、剥離フィルム層５同士が接合された接合部を含む切取り部１２を蓋部３側に残した状態で簡単に開けることができ、剥離フィルム層５が開封時に剥離することがなくなり、剥がれたフィルムが食品取り出しの邪魔になる不具合を防ぐことができる。
また、フランジ部９の開封用切取りライン１０以外の部位に、容器基材４の一部を切り離して剥離フィルム層５を容器基材４から引き剥がす際の起点となるフィルム剥離用切取りライン１１を設けたことにより、開封して食品を取り出した後、このフィルム剥離用切取りライン１１を切り取り、これを起点として剥離フィルム層５を容器基材４から簡単に引き剥がすことができ、食品と接触していない容器基材４を洗浄せずに回収することができ、利便性に優れている。
また容器基材４を熱可塑性樹脂発泡体で作製したことにより、軽量、安価であり、しかも耐衝撃性などの機械特性に優れた食品容器１を提供できる。
また剥離フィルム層５をポリオレフィン系樹脂、生分解性樹脂からなる群から選択される１種又は２種以上の樹脂としたことで、ポリオレフィン系樹脂製の剥離フィルム層５を用いた場合には、極く薄いフィルムを簡単に積層できるので、コスト上昇が抑えられる。また生分解性樹脂製の剥離フィルム層５を用いることで、この剥離フィルム層５を容器基材４から剥がして廃棄しても残留せずに分解するので、廃棄物処理の点から好ましい。
また剥離フィルム層５を接着剤層を介して剥離可能に容器基材４に積層したことによって、容器基材４表面に対して剥離可能に接着させることが困難なフィルムでも剥離可能に接合させることができるので、容器基材４と剥離フィルム層５の各材質の選択の自由度を広げることができる。
【００２５】
前述した食品容器１は本発明の一例に過ぎず、本発明は前記食品容器１に限定されることなく、種々の変更が可能である。
例えば、前記食品容器１ではフランジ部９に開封用切取りライン１０を設けたが、蓋部３に開封用切取りライン１０を設けることもでき、これによって前記の食品容器１と同様の効果を得ることができる。
また、開封用切取りライン１０は、接合部を含む領域をフランジ部９の他部から切り離せれば良く、その領域の形状は特に限定されず、図１〜２に例示したような細い台形状の他、半円状、半長円状、半楕円状、角形、楔形などの形状とすることができる。
また、開封用切取りライン１０に沿ってフランジ部９を切り取った後の端面から、剥離フィルム層５を剥離することもでき、開封用切取りライン１０によってフィルム剥離用切取りライン１１を併用することもできる。
【００２６】
本発明に係る包装食品は、前述した食品容器１の充填部２内に食品又は食品原料を計量充填した後、蓋部３を折り曲げて充填部２のフランジ部９と重ね合わせる直前に、ヒンジ部６と対向する側の一部を局部加熱して溶融させ、その後両者を重ね合わせて接合部を形成し、蓋部３を封じて包装することによって製造される。充填部２に詰められる食品又は食品原料としては、納豆（容器内で発酵させる場合には納豆菌を殖菌した煮大豆）、ハンバーガー類、寿司、煮物などの惣菜類、フライトチキンや天ぷらなどの揚げ物、サラダ、ケーキなどの洋菓子、和菓子などの種々の食品又は食品原料が挙げられる。
【００２７】
本発明の包装食品は、本発明に係る食品容器１を用いたことにより、剥離フィルム層５同士が接合された接合部を含む切取り部１２を蓋部３側に残した状態で簡単に開けることができ、剥離フィルム層５が開封時に剥離することがなくなり、剥がれたフィルムが食品取り出しの邪魔になる不具合を防ぐことができる。
【図面の簡単な説明】
【００２８】
【図１】本発明の食品容器の一例を示す斜視図である。
【図２】本発明の食品容器の一例を示す底面図である。
【図３】本発明の食品容器の一例を示す断面図である。
【符号の説明】
【００２９】
１…食品容器、２…充填部、３…蓋部、４…容器基材、５…剥離フィルム層、６…ヒンジ部、７…底部、８…側壁部、９…フランジ部、１０…開封用切取りライン、１１…フィルム剥離用切取りライン、１２…切取り部。
【図１】
2005153981.tif 000003
【図２】
2005153981.tif 000004
【図３】
2005153981.tif 000005